(57)【要約】【課題】  地震に伴う大きな振動に対しても免震部材に曲げに伴う応力集中が発生しないようにして、耐久性に優れ長寿命の家具用耐震取付具を提供する。【解決手段】  家具２の上端後部に取り付けて使用する家具用耐震取付具であって、壁面Ｗに固定可能な壁固定部７と、家具２の天井面Ｔ後端部に固定可能な天井固定部８と、これらの固定部７，８の間に介在された免震部材９とを備えた家具用耐震取付具において、前記免震部材として、家具２の前後方向に沿って一軸圧縮変形する圧縮弾性体を用いる。【選択図】      図２
2006061640.tif 000002
【特許請求の範囲】
【請求項１】
壁面に固定可能な壁固定部と、家具の天井面後端部に固定可能な天井固定部と、これらの固定部の間に介在された免震部材とを備えた家具用耐震取付具において、
前記免震部材は、前記家具の前後方向に沿って一軸圧縮変形する圧縮弾性体よりなることを特徴とする家具用耐震取付具。
【請求項２】
上下方向に沿って一軸圧縮変形する圧縮弾性体よりなる第二の免震部材が壁固定部と天井固定部との間に介在されている請求項１に記載の家具用耐震取付具。
【請求項３】
床面に固定可能な床固定部と、家具の下面前端部に固定可能な下面固定部と、これらの固定部の間に介在された免震部材とを備えた家具用耐震取付具において、
前記免震部材は、記家具の前後方向に沿って一軸圧縮変形する圧縮弾性体よりなることを特徴とする家具用耐震取付具。
【請求項４】
上下方向に沿って一軸圧縮変形する圧縮弾性体よりなる第二の免震部材が床固定部と下面固定部との間に介在されている請求項３に記載の家具用耐震取付具。
【請求項５】
請求項１又は２に記載の耐震取付具と請求項３又は４に記載の耐震取付具とを備えていることを特徴とする家具用耐震取付装置。
【発明の詳細な説明】
【技術分野】
【０００１】  本発明は、地震時に家具の転倒を防止するための家具用耐震取付具及び耐震取付装置に関する。
【背景技術】
【０００２】  例えば、タンスや食器棚等の家具が地震時に前方に倒れるのを防止する家具用耐震取付具として、壁面に固定可能な板状の壁固定部と、この壁固定部に対して直交しかつ家具の天井面に固定可能な板状の天井固定部と、これらの固定部の間に介在された免震部材とを一体に備えたものがあり、従来では、この免震部材が、互いに直交する両固定部同士を一体に連結するアーチ形の弾性体より構成されている。
【特許文献１】  特開２００４−１６７８１号公報
【発明の開示】
【発明が解決しようとする課題】
【０００３】  上記従来の耐震取付具では、免震部材が両固定部同士を一体に連結するアーチ形の弾性体より構成され、この弾性体の曲げ変形によって地震による振動を吸収するようになっているので、大きな振動によって過大な引っ張り力がアーチ形の弾性体に作用すると、その弾性体と各固定部との連結部分に応力集中によって亀裂が発生し、当該耐震取付具が早期に破損してしまう恐れがある。【０００４】  そこで、本発明の課題は、地震に伴う大きな振動に対しても免震部材に曲げに伴う応力集中が発生しないようにして、耐久性に優れ長寿命の家具用耐震取付具及び耐震取付装置を提供する点にある。
【課題を解決するための手段】
【０００５】  上記課題を達成するために、本発明が講じた解決手段は次の通りである。
すなわち、第一の本発明は、家具の上端後部に取り付けて使用する家具用耐震取付具であって、壁面に固定可能な壁固定部と、家具の天井面後端部に固定可能な天井固定部と、これらの固定部の間に介在された免震部材とを備えた家具用耐震取付具において、前記免震部材が、前記家具の前後方向に沿って一軸圧縮変形する圧縮弾性体よりなることを特徴としている。【０００６】  かかる第一の本発明によれば、免震部材が、家具の前後方向に沿って一軸圧縮変形する圧縮弾性体により構成されているので、地震によって家具が前後方向に振動すると、免震部材の一軸圧縮変形によってその振動が吸収され、当該免震部材は曲げ変形しない。このため、地震に伴う大きな振動が発生しても、免震部材に曲げに伴う応力集中が発生することがない。【０００７】  上記の第一の本発明において、上下方向に沿って一軸圧縮変形する圧縮弾性体よりなる第二の免震部材を壁固定部と天井固定部との間に介在するようにすれば、前後方向の振動だけでなく、上下方向の振動を当該第二の免震部材で吸収することができるので、地震時における家具の転倒をより確実に防止することができる。【０００８】  また、第二の本発明は、家具の下端前部に取り付けて使用する家具用耐震取付具であって、床面に固定可能な床固定部と、家具の下面前端部に固定可能な下面固定部と、これらの固定部の間に介在された免震部材とを備えた家具用耐震取付具において、前記免震部材が、前記家具の前後方向に沿って一軸圧縮変形する圧縮弾性体よりなることを特徴とする。【０００９】  かかる第二の本発明においても、免震部材が、家具の前後方向に沿って一軸圧縮変形する圧縮弾性体により構成されているので、地震によって家具が前後方向に振動すると、免震部材の一軸圧縮変形によってその振動が吸収され、当該免震部材は曲げ変形しない。このため、地震に伴う大きな振動が発生しても、免震部材に曲げに伴う応力集中が発生することがない。【００１０】  上記の第二の本発明においても、上下方向に沿って一軸圧縮変形する圧縮弾性体よりなる第二の免震部材を壁固定部と天井固定部との間に介在するようにすれば、前後方向の振動だけでなく、上下方向の振動を当該第二の免震部材で吸収することができるので、地震時における家具の転倒をより確実に防止することができる。【００１１】  なお、上記第一及び第二の本発明に係る家具用耐震取付具は、そのうちの片方のみを家具に取り付けて使用することもできるし、それらの双方を家具に取り付けて使用することもできる。
【発明の効果】
【００１２】  上述の通り、本発明によれば、地震に伴う大きな振動に対しても免震部材に曲げに伴う応力集中が発生することがないので、耐久性に優れ長寿命の家具用耐震取付具及び耐震取付装置を提供することができる。
【発明を実施するための最良の形態】
【００１３】  図面に基づいて、本発明の実施形態について説明する。
図１は、本発明の耐震取付装置が取り付けられた家具を示している。
この家具用の耐震取付装置１は、タンスや食器棚等の家具２を壁面や床面に弾性変形可能に取り付けることにより、地震時にその家具２の転倒を防止するためのもので、家具２の天井面後端部に取り付けられる第一取付具３と、家具２の下面前端部に取り付けられる第二取付具４と、家具２の下面後端部に取り付けられる第三取付具５とを備えている。【００１４】  図２に示すように、第一取付具（耐震取付具）３は、壁面Ｗに固定可能な壁固定部７と、家具２の天井面Ｔの後端部（壁側端部）に固定可能な天井固定部８と、これらの固定部７，８の間に介在された第一及び第二免震部材９，１０とを備えている。
このうち、壁固定部７は、金属製板材を側面視ほぼコの字状に屈曲形成してなり、ほぼ長方形状の底板部１１と、この底板部１１の前端から垂直に立ち上がる前板部１２と、同底板部１１の後端から垂直に立ち上がる取付板部１３とから構成されている。【００１５】  本実施形態の第一取付具３は、取付ねじ１５を介して壁面Ｗに取り付けられる断面Ｃ字状のガイドレール１６を備えており、このガイドレール１６の断面内に壁固定部７の取付板部１３を上下方向にスライド自在に挿通することにより、当該壁固定部７が前後方向に移動不能でかつ上下方向にスライド自在となるように壁面Ｗに対して取り付けられるようになっている。【００１６】  天井固定部８は、金属製板材を正面から見て断面ハット型に屈曲形成してなり、天井面Ｔに対する取付ねじ１７が貫通状に挿通される左右一対のねじ止め板部１８と、この板部１８間で上方に膨出する中央板部１９と、この中央板部１９の前端縁から垂直に立ち上がる立板部２０とを備えている。
第一取付具３の第一免震部材９は、家具２の前後方向に沿って一軸圧縮変形する圧縮弾性体によって構成されていて、本実施形態では、その圧縮弾性体としてゴム製の円柱体が採用されている。このゴム製の円柱体よりなる第一免震部材９は、軸心を前後方向に向けた状態で壁固定部７の前板部１２と天井固定部８の立板部２０との間に介在されている。【００１７】  なお、この第一免震部材９の前後両端面には、前板部１２と立板部２０に形成した位置決め孔に挿通することでずれ止めを行うための位置決め突起２１が形成されている。
第一取付具３の第二免震部材１０は、比較的厚肉のゴム製のプレートよりなり、このプレートは壁固定部７の底板部１１と天井固定部８の中央板部１９との間に積層状態で介在されている。【００１８】  図３に示すように、第二取付具（耐震取付具）４は、床面Ｆに固定可能な床固定部２３と、家具２の下面Ｓの前端部（屋内側端部）に固定可能な下面固定部２４と、これらの固定部２３，２４の間に介在された第一及び第二免震部材２５，２６とを備えている。
このうち、床固定部２３は、金属製板材を側面視ほぼＬ字状に屈曲形成してなり、ほぼ円形の底板部２７と、この底板部２７の前端から垂直に立ち上がる前板部２８とを備えている。また、この底板部２７の前端部には、床面Ｆに対する取付ねじ２９の挿通孔３０が形成されている。【００１９】  下面固定部２４は、金属製板材を側面視ほぼＬ字状に屈曲形成してなり、ほぼ半円形のベース板部３１と、このベース板部３１の前端から垂直に立ち上がる立板部３２とを備えている。なお、ベース板部３１の左右両端部には、家具２の下面Ｓに対する取付ねじ３３の挿通孔３４が形成されている。
第二取付具４の第一免震部材２５も、家具２の前後方向に沿って一軸圧縮変形する圧縮弾性体よりなり、本実施形態では、その圧縮弾性体としてゴム製の円柱体が採用されている。このゴム製の円柱体よりなる第一免震部材２５は、軸心を前後方向に向けた状態で床固定部２３の前板部２８と下面固定部２４の立板部３２との間に介在されている。【００２０】  なお、この第一免震部材２５の前後両端面にも、前板部２８と立板部３２に形成した位置決め孔に挿通することでずれ止めを行うための位置決め突起３５が形成されている。
第二取付具４の第二免震部材２６も、比較的厚肉のゴム製のプレートよりなり、このプレートは床固定部２３の底板部２７と下面固定部２４のベース板部３１との間に積層状態で介在されている。【００２１】  本実施形態の第二取付具４は、透明又は半透明の硬質プラスチックよりなるカバー体３６を備えている。このカバー体３６は、円弧状の前面部分の左右両端部から引っ掛け片３７を突設することによって形成され、この引っ掛け片３７を立板部３２の左右両縁に上からスライドさせて引っ掛けることにより、前板部２８と第一免震部材２５を被覆した状態で第二取付具４の前端部分に装着できるようになっている。【００２２】  図４に示すように、第三取付具（耐震取付具）５は、それぞれ同じ大きさの平面視円形の板材よりなる上板部３９及び下板部４０と、これらの板部３９，４０の間に挟まれた免震部材４１とを備えている。この免震部材４１は、比較的厚肉のゴム製のプレートよりなり、このプレートは下板部４０の上面と上板部３９の下面との間に積層状態で介在されている。
なお、上板部３９の縁部には、家具２の下面Ｓに対する取付ねじの挿通孔４２が形成されているとともに、下板部４０の縁部には、床面Ｆに対する取付ねじ４３の挿通孔４４が形成されている。【００２３】  上記構成に係る本実施形態の耐震取付装置１は、図１に示すように、一つの家具２に対して第一〜第三取付具３，４，５のすべてをセットで装着することによって使用され、第一取付具３は家具２の天井面後端部に取り付けられ、第二取付具４は家具２の下面前端部に取り付けられ、かつ、第三取付具５は家具２の下面後端部に取り付けられる。【００２４】  このさい、上記耐震取付装置１によれば、第一及び第二取付具３の第一免震部材９，２５が、家具２の前後方向に沿って一軸圧縮変形する圧縮弾性体よりなるので、地震によって家具２が前後方向に振動すると、その免震部材９，２５の一軸圧縮変形によって振動が吸収され、当該免震部材９，２５は曲げ変形しない。このため、地震に伴う大きな振動が発生しても、免震部材９，２５に曲げに伴う応力集中が発生することがなく、各取付具３，４の耐久性が向上して長寿命化を図ることができる。【００２５】  また、本実施形態の耐震取付装置１によれば、第一及び第二取付具３，４の双方について、上下方向に沿って一軸圧縮変形する圧縮弾性体よりなる第二免震部材１０，２６を設けているので、前後方向の振動だけでなく、上下方向の振動を当該第二免震部材１０，２６で吸収することができ、地震時における家具２の転倒をより確実に防止することができる。【００２６】  図５は、家具２の下面前端部に取り付けられる第二取付具４の変形例を示している。
この場合の第二取付具４は、家具２のコーナー部に装着されるもので、第一免震部材２５とこれを圧縮状態で支持する前板部２８及び立板部３２が互いに直交した状態で一対設けられている。従って、この変形例に係る第二取付具４によれば、家具２の前後方向を一方の第一免震部材２５で吸収し、家具２の幅方向の振動をもう一方の第一免震部材２５で吸収することができる。【００２７】  なお、本発明は上記実施形態に限定されるものではない。
例えば、一つの家具２に対して第一取付具３のみ、或いは、第二取付具４のみを使用することにしてもよい。また、第二及び第三取付具４，５については、家具２の下面に刳り抜いた装着穴に収納するようにしてもよい。
【図面の簡単な説明】
【００２８】
【図１】  本発明の耐震取付装置が取り付けられた家具の側面図である。
【図２】  （ａ）は第一取付具の平面図、（ｂ）は第一取付具の正面図、（ｃ）は第一取付具の側面断面図である。
【図３】  （ａ）は第二取付具の平面図、（ｂ）は第二取付具の平面断面図、（ｃ）は第二取付具の側面断面図である。
【図４】  （ａ）は第三取付具の平面図、（ｂ）は第三取付具の側面断面図である。
【図５】  第二取付具の変形例を示す平面図である。
【符号の説明】
【００２９】  １      耐震取付装置
２      家具
３      第一取付具（耐震取付具）
４      第二取付具（耐震取付具）
５      第三取付具（耐震取付具）
７      壁固定部
８      天井固定部
９      第一免震部材
１０      第二免震部材
２３      床固定部
２４      下面固定部
２５      第一免震部材
２６      第二免震部材
Ｗ      壁面
Ｔ      天井面
Ｆ      床面
Ｓ      下面
【図１】
2006061640.tif 000003
【図２】
2006061640.tif 000004
【図３】
2006061640.tif 000005
【図４】
2006061640.tif 000006
【図５】
2006061640.tif 000007